(57)【要約】【課題】立ちはぜ折板屋根Ｒの上に緑化基盤材Ａ（単位緑化基盤材１０）を安定的に固定し、それを利用して立ちはぜ折板屋根緑化構造体を造る。【解決手段】屋立ちはぜ折板屋根Ｒの山形部１の頂部に形成される突条（立ちはぜ）４に、幅の広い挟持先端部６２を持つクランプ６０を固定する。該クランプ６０に立設した支柱（ネジ桿７０）を利用して緑化基盤材Ａを固定する。固定した緑化基盤材Ａの上に植生する。【選択図】図４
2008045324.tif 000002
【特許請求の範囲】
【請求項１】
立ちはぜ折板屋根の上に緑化基盤材を固定する固定構造であって、
一対のクランプ片で立ちはぜの突条を左右から挟み付けるようにして立ちはぜ部に固定されたクランプと、
該固定されたクランプに立設された支柱と、
該固定されたクランプのクランプ片を利用して立ちはぜ折板屋根が平坦面となるように屋根面に取り付けられた発泡樹脂製断熱板と、
該発泡樹脂製断熱板の上に前記支柱を利用して固定された緑化基盤材と、
を少なくとも有することを特徴とする立ちはぜ折板屋根への緑化基盤材の固定構造。
【請求項２】
前記発泡樹脂製断熱板と緑化基盤材との間に配置された防根シートをさらに有することを特徴とする請求項１に記載の立ちはぜ折板屋根への緑化基盤材の固定構造。
【請求項３】
前記防根シートは非透水性シートであることを特徴とする請求項２に記載の立ちはぜ折板屋根への緑化基盤材の固定構造。
【請求項４】
前記発泡樹脂製断熱板の裏面に貼り付けられた不織布をさらに有することを特徴とする請求項１ないし３のいずれかに記載の立ちはぜ折板屋根への緑化基盤材の固定構造。
【請求項５】
立ちはぜの突条と該突条を挟持するクランプ片との間に介装されたパッキン材をさらに有することを特徴とする請求項１ないし４のいずれかに記載の立ちはぜ折板屋根への緑化基盤材の固定構造。
【請求項６】
請求項１ないし５のいずれかに記載の立ちはぜ折板屋根への緑化基盤材の固定構造により固定された緑化基盤材の上に植物が植生されていることを特徴とする立ちはぜ折板屋根緑化構造体。
【発明の詳細な説明】
【技術分野】
【０００１】
本発明は、立ちはぜ折板屋根に対して緑化基盤材を安定して固定するための固定構造と、その固定構造を用いた立ちはぜ折板屋根緑化構造体に関する。
【背景技術】
【０００２】
屋内の温度上昇を抑制しかつ景観を向上させる等の目的で、屋根や屋上に植物を植生して屋上を緑化することが行われる。屋根や屋上に土壌層を有する植栽層を直接配置することもあり、発泡樹脂などで造られた保水性と排水性を備えた緑化基盤材を屋根や屋上に設置し、その上に植栽層を形成することもある。屋根や屋上の面が平坦面の場合には、植栽層あるいは緑化基盤材を安定的に配置することは容易であるが、折板屋根や図１に示すような立ちはぜ折板屋根の場合には、配置面が凹凸面であることから、植栽層や緑化基盤材を安定的に固定するために格別の技術的手段が講じられる。
【０００３】
例えば、特許文献１には、図１１に示すように、支柱としてのボルト７を立設した取り付け具８ａをネジ８ｂを用いて突条（立ちはぜ）４に必要数だけ固定し、固定した取り付け具８ａを利用して網目状部材（金網等）９を敷設して立ちはぜ折板屋根の面を平坦面とし、その上に取り付け具８ａに取り付けたボルト７を利用して植栽層５４を固定することが記載されている。
【０００４】
特許文献２には、折板屋根の谷部に発泡樹脂を埋め込むことにより、平坦な屋根面を形成し、その上に流出防止層を配置し、その上に植栽層としての保水層と客土層を形成することが記載されている。
【０００５】
【特許文献１】特開２００５−６８８００号公報
【特許文献２】特開２００３−７９２３７号公報
【発明の開示】
【発明が解決しようとする課題】
【０００６】
屋上緑化において、屋根面と植栽層との間にさらに断熱層を形成することにより、屋内および植栽層が高温になるのを一層効果的に防ぐことができる。しかし、特許文献１に記載のものは、断熱層を別途形成する旨の記載はなく、屋内および植栽層への十分な断熱効果が得られない。取り付け具８ａを用いることにより、植栽層の取り付け時に利用できる支柱（ボルト７）を、突条（立ちはぜ）４に立設することが可能となるが、この取り付け具８ａはネジ８ｂの先端を突条（立ちはぜ）４の下方部に当接して締め付け固定する形状であり、ネジ８ｂの先端の接地面積が小さいために（実質的に点接触）、安定した固定態様が得られない。また、強くネジを締め付けると突条（立ちはぜ）４を傷つけることになる。
【０００７】
特許文献２に記載のものは、折板屋根の谷部に埋め込んだ発泡樹脂によりある程度の断熱効果を期待することができる。しかし、折板屋根の凸部には断熱材はなく、屋内および植栽層への十分な断熱性能は得られない。また、植栽層の固定が不十分であり、折板屋根にかかる負圧および吹き上げ荷重により、植栽層が吹き上がる恐れがある。
【０００８】
本発明は上記のような事情に鑑みてなされたものであり、立ちはぜ折板屋根の上に高い断熱効果と高い安定性を備えた状態で緑化基盤材を固定するための固定構造を提供することを目的とする。また、そのようにして固定された緑化基盤材の上に植物が植生された緑化構造体を提供することを目的とする。
【課題を解決するための手段】
【０００９】
本発明による立ちはぜ折板屋根の上に緑化基盤材を固定する固定構造は、一対のクランプ片で立ちはぜの突条を左右から挟み付けるようにして立ちはぜ部に固定されたクランプと、該固定されたクランプに立設された支柱と、該固定されたクランプのクランプ片を利用して立ちはぜ折板屋根が平坦面となるように屋根面に取り付けられた発泡樹脂製断熱板と、該発泡樹脂製断熱板の上に前記支柱を利用して固定された緑化基盤材と、を少なくとも備えることを特徴とする（請求項１）。
【００１０】
上記の固定構造では、立ちはぜ折板屋根に形成される立ちはぜである突条に固定したクランプのクランプ片を利用して、折板屋根の上に平坦面を形成するように発泡樹脂製断熱板が取り付けられており、断熱板の固定が安定するとともに、屋内側に対して高い断熱構造が形成される。また、クランプとして突条を左右から挟み付ける一対のクランプ片からなるものを用いており、突条とクランプ片との接触面は点接触でなく線あるいは面接触となるので、クランプは突条部分に堅固に固定されるとともに、折板屋根に形成される突条が損傷を受けることもない。さらに、クランプ片を利用して取り付けられた発泡樹脂製断熱板の上に、該クランプに立設した支柱を利用して、緑化基盤材が固定されており、緑化基盤材の固定も安定する。
【００１１】
本発明において、発泡樹脂製断熱板を構成する樹脂材料に特に制限はないが、例として、発泡ポリスチレン系樹脂、発泡ポリプロピレン系樹脂、発泡ポリエチレン系樹脂、発泡ウレタン系樹脂などが挙げられる。
【００１２】
本発明の固定構造において、緑化基盤材は従来の屋上緑化で用いられている緑化基盤材を任意に用いることができる。素材は軽量性と成形容易性の観点から発泡樹脂製が好ましいが、非発泡樹脂や発泡モルタルのような材料で造られていてもよい。緑化基盤材は客土層等からなる植栽層をそのまま収容する形態であってもよく、保水排水機能を備え、その上に植栽層を載置する形態のものでもよい。また、緑化基盤材は一枚物でよく、複数枚の単位緑化基盤材を組み合わせて構成されるものであってもよい。
【００１３】
多数枚の発泡樹脂製断熱板を、突条に固定したクランプのクランプ片を利用して折板屋根の上に取り付けたときに、隣接する発泡樹脂製断熱板の間にはクランプ片の厚みに起因する隙間が形成される。この隙間は断熱性を低下させるので、隙間を適宜の断熱性材料で埋め込むことは望ましい。隙間が形成されないように、発泡樹脂製断熱板がクランプ片と当接する箇所に、クランプ片が入り込む切り欠きを予め形成しておくようにしてもよい。
【００１４】
本発明の固定構造において、前記発泡樹脂製断熱板と緑化基盤材との間に防根シートをさらに配置するようにしてもよい（請求項２）。その際に、表面側に予め防根シートを接着積層した発泡樹脂製断熱板を用いるようにしてもよい。この構成とすることにより、この固定構造を利用して立ちはぜ折板屋根緑化構造体としたときに、植物の根により発泡樹脂製断熱板が損傷を受けるのを防止することができる。防根シートは、従来知られた任意のものを用いることができるが、好ましくは根の浸入をより完全に抑え込むことができる非透水性のシートである（請求項３）。非透水性シートの例としては、発泡ポリエチレン製シートにポリスチレンをラミネートしたシートは特に好ましい。他に、塩化ビニル系樹脂シート、非加硫ゴム系シート等が挙げられる。
【００１５】
本発明の固定構造において、前記発泡樹脂製断熱板の裏面に不織布を貼り付けた構成とすることもできる（請求項４）。この構成とすることにより、発泡樹脂製断熱板の上載荷重に対する強度を大きくすることができ、発泡樹脂製断熱板の上に人が乗って緑化基盤材を固定するとき等の作業性が安定する。
【００１６】
本発明の固定構造において、立ちはぜの突条と該突条を挟持するクランプ片との間にパッキン材を介装することもできる（請求項５）。この構成とすることにより、折板屋根板の一部である立ちはぜ突条部の防錆処理が剥がれた場合に、通常は異種金属である屋根板とクランプ片との接触による腐食電流が流れるのを効果的に阻止することができ、立ちはぜ部の腐食によりクランプの固定が不安定になるのを長期にわたって回避することができる。
【００１７】
本発明は、また、上記した立ちはぜ折板屋根への緑化基盤材の固定構造により固定された緑化基盤材の上に植物が植生されていることを特徴とする立ちはぜ折板屋根緑化構造体も開示する（請求項６）。植物を植生する態様は、従来知られた屋上緑化の場合と同様であってよい。緑化基盤材の中に土壌を敷いて、そこで植物を育成してもよく、従来知られた適宜の植栽層を緑化基盤材の上に敷設する植生態様であってもよい。いずれの場合も、植生基盤材は保水性と必要以上の水を流下する排水性を備えた基盤材であることが望ましい。また、植生基盤材の上面に不織布を敷き、そこに根止め機能を持たせることも好ましい。これにより、植物の根が屋根板に達するのを一層確実に防止することができる。
【発明の効果】
【００１８】
本発明によれば、立ちはぜ折板屋根の上に高い断熱効果と高い安定性を備えた状態で緑化基盤材を固定することができる。また、そのようにして固定した緑化基盤材の上に植物を植生することにより、安定した構造の屋上緑化構造体を立ちはぜ折板屋根の上に構築することができる。
【発明を実施するための最良の形態】
【００１９】
以下、図面を参照しながら、本発明を実施の形態に基づき説明する。図１は立ちはぜ折板屋根の一例を示し、図２は本発明で用いるクランプおよび支柱を示している。図３は図２に示すクランプを立ちはぜ折板屋根の突条に取り付ける態様を説明する図であり、図４はそのようにして固定したクランプを利用して立ちはぜ折板屋根の上に緑化基盤材を固定した状態を示している。図５はその平面図である。図６〜図８は本発明による緑化基盤材の固定構造の他の形態を説明する図であり、図９、図１０は本発明による固定構造で固定された緑化基盤材を利用して作った立ちはぜ折板屋根緑化構造体を示している。
【００２０】
図１に示すように、立ちはぜ折板屋根Ｒは、図１ｂに断面を示す左右の立ち上がり縁の上端部に互いに係合する湾曲部３ａ，３ｂを形成した長尺状の屋根板３を、隣接する屋根板３，３の湾曲部同士を係合（はぜ継ぎ）しながら、梁５の上に専用の取り付け具６を利用して固定するようにしており、屋根勾配方向であるＸ方向に走る山形部１が軒先方向であるＹ方向に所定ピッチＰａで連続している。そして、該山形部１の頂部２には屋根板３を連接したときの丸みを持つ突条（立ちはぜ）４が屋根勾配方向に走っている。このような立ちはぜ折板屋根Ｒの上に緑化基盤材Ａ（図５等参照）を固定して、本発明による立ちはぜ折板屋根緑化構造体とする。
【００２１】
図２は、そこで用いるクランプ６０およびそこに立設される支柱７０を示す。クランプ６０は、一定の横幅を持つ左右一対のクランプ片６１，６１で構成される。各クランプ片６１は、立ちはぜである突条４の下方領域を押さえ付ける挟持先端部６２ａとその上方の第１の水平部６２ｂとからなる膨出部６３と、前記挟持先端部６２ａの先端位置とほぼ同じ垂直位置において前記第１の水平部６２ｂから立ち上がる垂直部６４と、該垂直部６４の上端に位置する第２の水平部６５とを有し、垂直部６４には左右のクランプ片６１、６１を一体に締め付けるときに用いるボルトのためのボルト孔６６が形成されている。また、第２の水平部６５には、本発明でいう支柱の一例であるネジ桿７０を取り付けるためのボルト孔６７が形成されている。前記ネジ桿７０は、この例では支持板７１のほぼ中央に溶着等により立設されており、該支持板７１には、クランプ片６１、６１の第２の水平部６５に形成したボルト孔６７，６７に対向する位置に、ボルト孔７２、７２が形成されている。なお、ボルトナットを用いずにドリルビス等を用いてこれらを固定する場合は、ボルト孔６６，６７、７２は省略してもよく、ボルト孔に替えて小孔を形成しておいてもよい。
【００２２】
前記膨出部６３の内面側の形状は、好ましくは立ちはぜである突条４の外郭形状に一致した形状であり、その大きさは、左右のクランプ片６１、６１を締め付けたときに突条４をわずかに圧縮して変形させるように大きさとされる。しかし、膨出部６３の内面側の形状は、左右のクランプ片６１、６１を締め付けたときに、その内周面が部分的に突条４に接触するような形状、あるいはまったく接しない形状であっても差し支えない。また、図示の例では、挟持先端部６２ａ，６２ａの先端は先鋭となっているが、先端を外側に反らし、突条４に当たる面を曲面とすることもできる。
【００２３】
クランプ６０の固定に際しては、図３に示すように、左右のクランプ片６１，６１の膨出部６３の間に突条４を挟み込んだ姿勢とし、双方の垂直部６４に形成したボルト孔６６にボルトを通してナットで締め付ける。一定の横幅を持つ挟持先端部６２の先端と膨出部６３の内面側とで突条４を両側から押さえ付けた状態で、クランプ６０は突条４に固定されるので、クランプ６０の固定状態はきわめて安定したものとなる。図３には示されないが、クランプ６０を固定した後、その第２の水平部６５、６５の上に前記した支持板７１を置き、ボルト孔７２、６７を利用して両者を一体に固定することにより、前記ネジ桿７０はクランプ７０に垂直状に立設される。
【００２４】
上記のようにして、複数個のクランプ６０およびネジ桿７０を立ちはぜである突条４の必要箇所に固定し、それを利用して、発泡樹脂製断熱板４０および緑化基盤材Ａを立ちはぜ折板屋根Ｒの上に固定する。以下、それを説明する。なお、ここで使用する緑化基盤材Ａは、図５に示すように、屋根勾配方向であるＸ方向と軒先方向であるＹ方向に所定ピッチ（Ｐ１，Ｐ２）で取り付け孔１１が形成されており、軒先方向のピッチＰ２は立ちはぜ折板屋根Ｒの突条４・・のピッチＰａと等しいかその整数倍である。従って、立ちはぜ折板屋根Ｒの軒先方向であるＹ方向では、緑化基盤材１０のＹ方向の取り付け孔のピッチＰ２に一致した突条４に対して、クランプ６０およびネジ桿７０が固定される。そして、当該突条４での屋根勾配方向であるＸ方向には、緑化基盤材１０のＸ方向の取り付け孔のピッチＰ１に一致したピッチで突条４にクランプ６０およびネジ桿７０が固定される。
【００２５】
なお、この例において、立ちはぜ折板屋根Ｒに固定する緑化基盤材Ａは、図５に示すように、実質的な正方形である単位緑化基盤材１０を複数枚組み付けて構成される。単位緑化基盤材１０は発泡樹脂の成形品であり、保水用空間１２と植栽層支持体１３を有し、周壁部には互いに嵌合する接続用凹凸部１４が形成される。各偶部には孔１１が形成されており、該孔１１は、接続用凹凸部１４を利用して隣接する単位緑化基盤材１０、１０を組み付けたときに、上下に連通する取り付け孔１１となる。この例では、複数枚の単位緑化基盤材１０を組み付けて緑化基盤材Ａとしたときに、前記各取り付け孔１１は、屋根勾配方向であるＸ方向ではピッチＰ１で配列しており、軒先方向であるＹ方向ではピッチＰ２で配列している。なお、緑化基盤材Ａは一枚物で作られていてもよいが、その場合でも、ピッチＰ１およびピッチＰ２で取り付け孔１１が形成される。
【００２６】
また、ここで使用する発泡樹脂製断熱板４０は、軒先方向（Ｙ方向）である横幅は、クランプ６０およびネジ桿７０が固定された隣接する突条４、４間の距離とほぼ等しく、厚さは、クランプ片６１における第１の水平部６２ｂと第２の水平部６５との内側間の距離にほぼ等しい。発泡樹脂製断熱板４０の屋根勾配方向（Ｘ方向）の長さは任意である。
【００２７】
施工に当たっては、前記したように、立ちはぜ折板屋根Ｒの山形部１の立ちはぜ部である前記したＹ方向のピッチＰ２ごとの突条４・・に、Ｘ方向にピッチＰ１の間隔をおいて、クランプ６０を固定する。次ぎに、隣接する突条４，４の間に前記した発泡樹脂製断熱板４０を取り付ける。その際に、図４に示すように、発泡樹脂製断熱板４０の両側部を、固定したクランプ６０の各クランプ片６１における前記第１の水平部６２ｂ，垂直部６４，第２の水平部６５で形成される断面コ字状空間内に、差し込むようにする。それにより、立ちはぜ折板屋根Ｒの上面は、全体が発泡樹脂製断熱板４０で覆われた状態となり、平坦面が形成される。
【００２８】
図４に示すように、発泡樹脂製断熱板４０を敷き詰めた状態で、隣接する発泡樹脂製断熱板４０の間には、クランプ６０の各クランプ片６１に起因する隙間ｓが形成されやすい。その隙間ｓは狭い幅であり放置しても差し支えない。しかし、より完全な断熱性を望む場合には、隙間ｓに発泡樹脂製断熱材など適宜の断熱材を挿入する。図示しないが、発泡樹脂製断熱板４０におけるクランプ６０の各クランプ片６１の位置に相当する箇所に、切り欠きを設けておくことにより、隙間ｓを無くすこともできる。また、隣り合う発泡樹脂製断熱板４０をより安定的に設置したい場合には、隙間ｓにＨ型ジョイナーなど適宜の連結材を挿入することもできる。
【００２９】
次ぎに、発泡樹脂製断熱板４０の敷き詰め作業と平行して、あるいはその前後の作業として、前記のようにしてクランプ６０の各クランプ片６１にネジ桿７０を立設する。立設したネジ桿７０・・を利用して、単位緑化基盤材１０に形成した取り付け孔１１にネジ桿７０を貫通させながら、必要枚数の単位緑化基盤材１０を発泡樹脂製断熱板４０の上に配置する。単位緑化基盤材１０から飛び出ているネジ桿７０にナット７３をネジ込むことにより、単位緑化基盤材１０は立ちはぜ折板屋根Ｒの上にしっかりと固定される。すべての単位緑化基盤材１０に対してナット７３による締め付けを行うことにより、図４、図５に示すように、本発明による固定構造で固定された緑化基盤材Ａが立ちはぜ折板屋根Ｒの上に完成する。
【００３０】
図６〜図８は、本発明による立ちはぜ折板屋根への緑化基盤材の固定構造の他の形態を示している。図６と図７は前記した図４に相当しており、図８はクランプ６０が突条４に固定された状態のみを示している。図６〜図８において、図３あるいは図４に示した部材と同じ部材には同じ符号を付し、説明は省略する。
【００３１】
図６に示す形態では、発泡樹脂製断熱板４０として、その上面に防根シート４１を積層したものを用いている点で相違している。この形態では、後記するように、この固定構造を利用して立ちはぜ折板屋根緑化構造体としたときに、植物の根により発泡樹脂製断熱板４０が損傷を受けるのを防止することができる。防根シート４１は非透水性のシートであることはより好ましく、非透水性シート４１の例としては、発泡ポリエチレン製シートにポリスチレンをラミネートしたシートが挙げられる。
【００３２】
図６に示す例で、防根シート４１は発泡樹脂製断熱板４０よりも側方にはみ出た部分４２を有している。この構成の発泡樹脂製断熱板４０では、隣接する発泡樹脂製断熱板４０同士の接合部や、前記したクランプ６０の各クランプ片６１に起因する隙間ｓを前記防根シート４１のはみ出た部分４２でカバーすることができるので、根の浸入防止に加えて断熱性を向上させる効果ももたらされる。図示しないが、発泡樹脂製断熱板４０の裏面側に不織布を貼り付けるようにしてもよい。不織布を貼り付けることにより、発泡樹脂製断熱板４０の上載荷重に対する強度が大きくなるので、発泡樹脂製断熱板４０の上に人が乗って緑化基盤材Ａを固定するとき等の作業性を安定化させることができる。
【００３３】
図７に示す形態では、クランプ６０に立設したネジ桿７０を利用して、単位緑化基盤材１０を固定するときに、単位緑化基盤材１０から飛び出ているネジ桿７０に広い面積の押さえ板７４を取り付けた後、ナット７３をネジねじ込んで単位緑化基盤材１０は立ちはぜ折板屋根Ｒの上に固定するようにしている。このような広い面積の押さえ板７４を用いることにより、より安定した単位緑化基盤材１０の固定構造を得ることができる。
【００３４】
図８に示す形態では、立ちはぜの突条４にクランプ片６１，６１を固定するときに、突条４と突条４を挟持するクランプ片６１，６１との間にパッキン材７５を介装するようにしている。パッキン材７５の例としては、ポリスチレン系樹脂発泡体、ポリウレタン系樹脂発泡体、塩化ビニル系樹脂発泡体、等が挙げられる。この構成とすることにより、突条４の防錆処理が剥がれた場合に、通常は異種金属である屋根板１とクランプ片６１との接触による腐食電流が流れるのを効果的に阻止することができ、立ちはぜ部の腐食によりクランプ６０の固定が不安定になるのを長期にわたって回避することができる。また、図８に示す挟持先端部６２ａ，６２ａの先端を外側に反らし、突条４に当たる面を曲面とすることもできる。こうすることによって、突条４をより傷つけることなくクランプ片６１，６１を堅固に固定できる。
【００３５】
図９、図１０は、上記のようにして固定された緑化基盤材Ａを利用して作られた立ちはぜ折板屋根緑化構造体Ｂの一例を示す。図９は立ちはぜ折板屋根Ｒの側方から見た図であり、図１０は立ちはぜ折板屋根Ｒの軒先方向から見た図である。図９に示すように、立ちはぜ折板屋根Ｒの軒先には前記Ｙ方向に軒先見切り材５０が取り付けられ、また、図１０に示すように、その両側（図１０には左側方のみが示される）には前記Ｘ方向に、すなわち山形部１に沿うようにして側縁見切り材５１が取り付けられる。見切り材５０，５１で区画された領域に、図４に示したようにして、固定されたクランプ６０のクランプ片６１を利用して立ちはぜ折板屋根Ｒが平坦面となるように発泡樹脂製断熱板４０が取り付けられ、その上に、固定されたクランプ６０に立設された支柱（ネジ桿７０）を用いて単位緑化基盤材１０・・・が固定されて、緑化基盤材Ａとされている（なお、図９，図１０では、クランプ６０、クランプ片６１およびネジ桿７０は図示を省略している）。また、発泡樹脂製断熱板４０と緑化基盤材Ａとの間には、図６に示すようにして、防根シート４１が配置されており、植物の根により発泡樹脂製断熱板４０や立ちはぜ折板屋根Ｒが損傷するのを防止している。固定された緑化基盤材Ａの上には、必須のものではないが、土壌流出防止用の好ましくは根止め機能を備えた不織布５３が敷設されており、その上に、従来知られたようにして、適宜の植栽層５４が形成されている。図示しないが、植栽層５４の上面に土壌の吹き飛び防止ネットを設置するようにしてもよい。
【００３６】
このようにして構築した立ちはぜ折板屋根緑化構造体Ｂの上から散水すると、水は植栽層５４を透過して緑化基盤材Ａの保水用空間１２に溜まり、その水は植栽層５４に植生した植物５５の生育を助ける。また、雨水を含む余分な水は、緑化基盤材Ａをオーバーフローして流下する。
【図面の簡単な説明】
【００３７】
【図１】立ちはぜ折板屋根の一例を示す斜視図（図１ａ）とそこで使用する屋根板を示す断面図（図１ｂ）。
【図２】立ちはぜである突条に固定するクランプと該クランプに立設された支柱を説明するための図。
【図３】図２に示すクランプを立ちはぜ折板屋根の突条に取り付ける態様を説明する図。
【図４】固定したクランプを利用して立ちはぜ折板屋根の上に緑化基盤材を固定した状態を説明するための図。
【図５】立ちはぜ折板屋根の上に固定した緑化基盤材を示す平面図。
【図６】本発明による緑化基盤材の固定構造の他の形態を説明するための図４に相当する図。
【図７】本発明による緑化基盤材の固定構造のさらに他の形態を説明するための図４に相当する図。
【図８】クランプの固定状態の他の形態を説明する図。
【図９】本発明による固定構造で固定された緑化基盤材を利用して作った立ちはぜ折板屋根緑化構造体を立ちはぜ折板屋根の側方から見て示す図。
【図１０】図９に示す立ちはぜ折板屋根緑化構造体を立ちはぜ折板屋根の軒先方向から見て示す図。
【図１１】立ちはぜ折板屋根に緑化基盤材を固定するのに用いられる従来の固定具を説明するための図。
【符号の説明】
【００３８】
Ｒ…立ちはぜ折板屋根、Ａ…緑化基盤材、Ｂ…立ちはぜ折板屋根緑化構造体、Ｐａ…山形部のピッチ、Ｘ…屋根勾配方向、Ｙ…軒先方向、１…山形部、２…山形部の頂部、３…屋根板、４…突条（立ちはぜ）、１０…単位緑化基盤材、１１…取り付け孔、１２…保水用空間、１３…植栽層支持体、１４…接続用凹凸部、４０…発泡樹脂製断熱板、４１…防根シート、４２…防根シートの側方にはみ出た部分、５４…植栽層、６０…クランプ、６１…クランプ片、６２ａ…挟持先端部、６２ｂ…第１の水平部、６３…膨出部、６４…垂直部、６５…第２の水平部、７０…支柱（ネジ桿）、７１…支持板、７４…広い面積の押さえ板、７５…パッキン材
【図１】
2008045324.tif 000003
【図２】
2008045324.tif 000004
【図３】
2008045324.tif 000005
【図４】
2008045324.tif 000006
【図５】
2008045324.tif 000007
【図６】
2008045324.tif 000008
【図７】
2008045324.tif 000009
【図８】
2008045324.tif 000010
【図９】
2008045324.tif 000011
【図１０】
2008045324.tif 000012
【図１１】
2008045324.tif 000013